(57)【要約】本発明は導光板キーパット及び導光板キーパットアセンブリーに関する事で、特に側面から光を供給される携帯電話の導光板の一面に反射及び拡散特性をもつペーストで印刷をし、ラインタイプまたは面タイプのキーキャラクターパターンを形成して該当導光板がキーパット役割を果たす事で、携帯電話の構成要素の数を節減できるようにする導光板キーパット及び導光板キーパットアセンブリーに関するものである。本発明による導光板キーパットは、キーパットアセンブリーに利用される透過性導光板であり、上記導光板は側面に繋がっている光源から供給される光をその一面に印刷を通じて形成されたラインタイプまたは面タイプのキーキャラクターパターンを通じて上部に供給し、上記キーキャラクターパターンは多様なカラー具現を可能にするよう形成され、上記導光板は屈曲が可能な程度に柔軟である事を特徴とする、導光板自体がキーパットになる導光板キーパットである。
2010541130.tif 000002
【特許請求の範囲】
【請求項１】
キーパッドアセンブリー中で使用される透過性導光板が、当該導光板の側面に結合された光源から受け取った光を前記キーパッドアセンブリーの上部に供給し、
キーキャラクターのパターンが、印刷によって前記導光板の一面上に形成され、
かつ、前記導光板がたわむことができる程度に柔軟であることを特徴とする導光キーパッド。
【請求項２】
前記キーキャラクターのパターンの一部が、色パターンであることを特徴とする、請求項１に記載の導光キーパッド。
【請求項３】
側面に結合された光源から受け取った光をキーパッドアセンブリーの上部に供給する、透明材料からなる導光板が、前記キーパッドアセンブリー中で使用され、
キーキャラクターのパターンが、前記導光板の一面上に形成され、
かつ、前記導光板がたわむことができる程度に柔軟である材料から製作されることを特徴とする、導光キーパッドアセンブリー。
【請求項４】
前記導光板上に、導光板の一部又は全部を覆うコーティング層が設けられていることを特徴とする、請求項３に記載の導光キーパッドアセンブリー。
【請求項５】
前記導光板の下にバックボードシートが構成されており、
絵又は写真が、前記バックボードシートの一面上に形成されることを特徴とする、請求項３に記載の導光キーパッドアセンブリー。
【請求項６】
各キーキャラクターのパターンに対応したドームスイッチと押し接触ができる突出部を含む、アクチュエーターが、前記導光板の下に設けられていることを特徴とする、請求項３に記載の導光キーパッドアセンブリー。
【請求項７】
側面に結合された光源から受け取った光をキーパッドアセンブリーの上部に供給する、透明材料からなる導光板が、前記キーパッドアセンブリー中で使用され、
前記導光キーパッドアセンブリーは、前記導光板の下にバックボードシートを含み、
絵又は写真が、前記バックボードシートの一面上に形成され、
キーキャラクターのパターンが、前記導光板の一面上に形成されることを特徴とする、導光キーパッドアセンブリー。
【請求項８】
前記導光板の側面に結合された前記光源を始動させるためのドームスイッチを動作させるために、前記ドームスイッチの位置と対応して、前記ドームスイッチと押し接触ができるように形成された突出部を含むアクチュエーターが設けられていることを特徴とする、請求項７に記載の導光キーパッドアセンブリー。
【請求項９】
前記アクチュエーターは、前記バックボードシート上に印刷によって形成されることを特徴とする、請求項８に記載の導光キーパッドアセンブリー。
【請求項１０】
導光板と透明インク層を含む導光キーパッドアセンブリーであって、
前記導光板は、透明材料からなり、該導光板の側面に結合された光源から受け取った光をキーパッドアセンブリーの上部に供給し、
行タイプのキーキャラクターのパターンが、前記導光板の一面上に形成され、
前記透明インク層は、前記行タイプのキーキャラクターのパターンが形成された場所の面上で、前記キーキャラクターのパターンを覆うように形成され、
絵又は写真が、前記透明インク層上に印刷されることを特徴とする、導光キーパッドアセンブリー。
【請求項１１】
前記導光板の一部又は全部を覆うコーティング層が設けられていることを特徴とする、請求項１０に記載の導光キーパッドアセンブリー。
【請求項１２】
前記導光板の側面に結合された前記光源を始動させるためのドームスイッチを動作させるために、前記ドームスイッチの位置と対応して、前記ドームスイッチと押し接触ができるように形成された突出部を含むアクチュエーターが設けられていることを特徴とする、請求項１０に記載の導光キーパッドアセンブリー。
【請求項１３】
前記アクチュエーターは、前記絵又は写真が印刷された前記透明インク層上に印刷によって形成されることを特徴とする、請求項１２に記載の導光キーパッドアセンブリー。
【請求項１４】
導光板とキーキャラクター印刷層を含む導光キーパッドアセンブリーであって、
前記導光板は、透明材料からなり、かつ当該導光版の側面に結合された光源から受け取った光をキーパッドアセンブリーの上部に供給し、
面パターン、ドットパターン又はハーフトーンパターンの少なくとも１つが、拡散特性を有する材料を印刷することによって、前記導光板の一面の一部に形成され、
前記キーキャラクター印刷層は、前記導光板上にある前記面パターンの領域に対応するキーキャラクター領域を有して、前記導光板の上に配置され、
前記キーキャラクター印刷層は、前記キーキャラクター領域のキーキャラクターの形状を空きのままにして、同じ厚さで形成されることを特徴とする、導光キーパッドアセンブリー。
【請求項１５】
前記導光板の一面上に、透明材料から形成される透明インク層が設けられ、
前記キーキャラクター印刷層は、前記透明インク層上に形成されることを特徴とする、請求項１４に記載の導光キーパッドアセンブリー。
【請求項１６】
前記導光板の下にバックボードシートが設けられ、
絵又は写真が、前記バックボードシートの一面上に形成されることを特徴とする、請求項１４又は請求項１５に記載の導光キーパッドアセンブリー。
【請求項１７】
前記導光板の側面に結合された前記光源を始動させるためのドームスイッチを動作させるために、前記ドームスイッチの位置と対応して、前記ドームスイッチと押し接触ができるように形成された突出部を含むアクチュエーターが設けられ、
前記アクチュエーターは、前記バックボードシート上に印刷によって形成されることを特徴とする、請求項１６に記載の導光キーパッドアセンブリー。
【請求項１８】
前記キーキャラクターのパターンは、行タイプで形成されることを特徴とする、請求項１に記載の導光キーパッド。
【発明の詳細な説明】
【技術分野】
【０００１】
本発明は、導光キーパッド及び導光キーパッドアセンブリーに関する。より詳しくは、携帯電話の導光板の側面を通して光を受け取る、その導光板の一面上にキーキャラクターのパターンを形成し、そのようにして導光板にキーパッドの役割を果たさせることによって、携帯電話の構成要素数を減少させることができる導光キーパッド及び導光キーパッドアセンブリーに関する。
【背景技術】
【０００２】
現在の携帯電話は、市場での競争が激しくなるにつれ、製造会社の中には、相変わらず高品質、高価格の製品を追求するという市場政策を維持するよりはむしろ他の製造会社が関心を集中させていないニッチ市場に活路を見出そうと試みているものもある。このような動向の１つとして、いくつかの製造会社は、高級機能を装備するよりはむしろ必要な機能のみを備えた低価格の携帯電話を製造することによって、新しい進展を見つけようと試みている。
【０００３】
このような低価格の携帯電話を製造しようという傾向を考慮するまでもなく、この分野では、最低のコスト、部品点数及び時間によって同一の性能を達成することが、未解決の課題となっている。
【０００４】
携帯電話の製造業界では、スリムな携帯電話を求める顧客の要望に答えるために、携帯電話の製造初期の時代のバッテリーより薄いバッテリーの開発によって、携帯電話の厚さが薄くなってきた。しかし、携帯電話の機能を達成するために必要なキーパッドアセンブリー中の従来のキーパッドを取り替えるための手段が、まだ開発されておらず、キートップ部及びキーベース部を含む従来のキーパッド構造を、キーパッドアセンブリー中に含めるべきであるということが、検討されてきた。
【０００５】
その一方、様々なタイプの光源が、携帯電話のキーパッドアセンブリーを照明するために使用されており、そして透明材料からなる導光板を使用するという概念が、従来の光源に関する問題を解決するために、本出願人の韓国実用新案出願第２００７−１４２０６号「考案の名称：光源用印刷型導光シート」などを通じて導入されてきた。しかし、導光板がキーパッドに取って代わることができるということは、この分野でだれもが予想していない。
【先行技術文献】
【特許文献】
【０００６】
【特許文献１】韓国実用新案出願第２００７−１４２０６号
【発明の概要】
【発明が解決しようとする課題】
【０００７】
本発明は、過度な電力消費、輝度不良、追加の構成要素が必要になるなど、従来の光源に関する多くの問題を解決し、かつ、追加の発光を必要とする従来のキーパッド構造を有するキーパッドに取って代わることができる、新たなタイプの発光一体型の導光キーパッド及び導光キーパッドアセンブリーを提供するものである。
【課題を解決するための手段】
【０００８】
本発明の第１の好ましい実施形態は、
キーパッドアセンブリー中で使用される透過性導光板が、当該導光板の側面に結合された光源から受け取った光を前記キーパッドアセンブリーの上部に供給し、
キーキャラクターのパターンが、印刷によって前記導光板の一面上に形成され、
かつ、前記導光板がたわむことができる程度に柔軟である導光キーパッドである。
【０００９】
前記キーキャラクターのパターンは、行タイプ又は面タイプとして形成することができ、前記キーキャラクターのパターンの一部分は、色パターンであることが好ましい。
【００１０】
本発明の第２の好ましい実施形態は、側面に結合された光源から受け取った光をキーパッドアセンブリーの上部に供給する、透明材料からなる導光板が、前記キーパッドアセンブリー中で使用され、行又は面タイプのキーキャラクターのパターンが、印刷によって前記導光板の一面上に形成され、かつ、前記導光板がたわむことができる程度に柔軟である材料から製作されることを特徴とする、導光キーパッドアセンブリーである。前記キーキャラクターのパターンは、様々な色を有するように、実現することができる。
【００１１】
前記導光キーパッドアセンブリーは、前記導光板の一部又は全部を覆うように、コーティング層を設けることが好ましい。
【００１２】
前記導光キーパッドアセンブリーは、前記導光板の下にバックボードシートを設け、絵又は写真が、前記バックボードシートの一面上に形成されることが好ましい。
【００１３】
前記導光キーパッドアセンブリーは、前記導光板の下に配置され、かつ各キーキャラクターのパターンに対応したドームスイッチと押し接触ができる突出部を含むアクチュエーターが設けられることが好ましい。
【００１４】
本発明の第３の好ましい実施形態は、側面に結合された光源から受け取った光をキーパッドアセンブリーの上部に供給する、透明材料からなる導光板が、前記キーパッドアセンブリー中で使用され、
前記導光キーパッドアセンブリーは、前記導光板の下にバックボードシートを含み、
絵又は写真が、前記バックボードシートの一面上に形成され、
行又は面タイプのキーキャラクターのパターンが、印刷によって前記導光板の一面上に形成されることを特徴とする、導光キーパッドアセンブリーである。
【００１５】
前記導光キーパッドアセンブリーは、前記導光板の側面に結合された前記光源を始動させるためのドームスイッチを動作させるために、前記ドームスイッチの位置に対応して、前記ドームスイッチと押し接触ができるように形成された突出部を含むアクチュエーターが設けられることが好ましい。
【００１６】
前記アクチュエーターは、印刷によって前記バックボードシート上に形成することが好ましい。
【００１７】
本発明の第４の好ましい実施形態は、導光板とキーキャラクター印刷層を含む導光キーパッドアセンブリーであって、前記導光板は、透明材料からなり、かつ当該導光版の側面に結合された光源から受け取った光をキーパッドアセンブリーの上部に供給し、行又は面タイプのキーキャラクターのパターンが、印刷によって前記導光板の一面上に形成され、前記透明インク層は、前記キーキャラクターのパターンが印刷された場所の面上で、前記キーキャラクターのパターンを覆うように形成され、絵又は写真が、前記透明インク層上に印刷され、それによってキーパッドの様々なデザインが可能になる。
【００１８】
前記導光キーパッドアセンブリーは、前記導光板の一部又は全部を覆うコーティング層が設けられていることが好ましい。
【００１９】
前記導光キーパッドアセンブリーは、前記導光板の側面に結合された前記光源を始動させるためのドームスイッチを動作させるために、前記ドームスイッチの位置に対応して、前記ドームスイッチと押し接触ができるように形成された突出部を含むアクチュエーターが設けられていることが好ましい。
【００２０】
前記アクチュエーターは、前記絵又は写真が印刷された前記透明インク層上に、印刷によって形成されることが好ましい。
【００２１】
本発明の実施形態の導光キーパッドアセンブリーは、導光板とキーキャラクター印刷層を含み、
前記導光板は、透明材料からなり、かつ当該導光版の側面に結合された光源から受け取った光をキーパッドアセンブリーの上部に供給し、
面パターン、ドットパターン又はハーフトーンパターンの少なくとも１つが、拡散特性を有する材料を印刷することによって、前記導光板の一面の一部に形成され、
前記キーキャラクター印刷層は、前記導光板上にある前記面パターンの領域に対応するキーキャラクター領域を有して、前記導光板の上に配置され、
前記キーキャラクター印刷層は、前記キーキャラクター領域のキーキャラクターの形状を空きのままにして、同じ厚さで形成される。
【００２２】
前記拡散特性を有する材料は、面タイプ、ドットタイプ又はハーフトーンタイプの１つとして印刷することができることが好ましい。
【００２３】
前記導光キーパッドアセンブリーは、前記導光板の一面上に、透明材料により形成される透明インク層を設け、前記キーキャラクター印刷層は、前記透明インク層上に形成されることが好ましい。
【００２４】
前記導光キーパッドアセンブリーは、前記導光板の下にバックボードシートが設けられ、絵又は写真が前記バックボードシートの一面上に形成されることが好ましい。
【００２５】
前記導光キーパッドアセンブリーは、前記導光板の側面に結合された前記光源を始動させるためのドームスイッチを動作させるために、前記ドームスイッチの位置に対応して、前記ドームスイッチと押し接触ができるように形成された突出部を含むアクチュエーターが設けられ、前記アクチュエーターは、前記バックボードシート上に印刷によって形成されることが好ましい。
【発明の効果】
【００２６】
本発明による導光キーパッドを用いることによって、追加のキーパッド構造が、もう必要でなくなる。したがって、導光キーパッドアセンブリーの厚さが薄くなり、これによって携帯電話の厚さが薄くなる。さらに、本発明は、コスト削減の効果をもたらす。なぜならば、本発明のキーパッドアセンブリーの製造工程が、極めて簡単であり、他方で、キーパッドアセンブリーの従来の製造工程が、複雑かつ多くの工程からなっているからである。
【００２７】
また、本発明は、様々な材料から製作された、或いは様々な色又はパターンが印刷されたバックボードシートを挿入することによって、従来の単純なキーパッドのデザインをさらに向上させる他の効果をもたらす。
【図面の簡単な説明】
【００２８】
【図１】本発明の第１の好ましい実施形態による導光キーパッドアセンブリーの断面図である。
【図２】本発明の第２の好ましい実施形態による導光キーパッドアセンブリーの断面図である。
【図３】本発明の第３の好ましい実施形態による導光キーパッドアセンブリーの断面図である。
【図４】本発明の第４の好ましい実施形態による導光キーパッドアセンブリーの断面図である。
【図５】本発明の導光キーパッドを表す図である。
【図６】本発明の導光キーパッドアセンブリーを表す図である。
【発明を実施するための最良の形態】
【００２９】
以下に、添付図面を参照して、本発明による好ましい実施形態を詳細に説明する。
【００３０】
図１は、本発明の第1の好ましい実施形態による導光キーパッドアセンブリーの断面図である。この好ましい実施形態による導光キーパッドアセンブリーは、導光板201を含み、それは、その側面に結合された、LEDなどの照明手段から供給された光を伝達する経路になる。キーキャラクターのパターン202が、行タイプ又は面タイプとして印刷されることによって、導光板201の下面上に形成される。キーキャラクターのパターンは、ここでは、印刷などによって従来のキーパッド上に形成された、様々なタイプのキャラクター、数字及びシンボルなどを表す。導光板201の下面上に形成されたキーキャラクターのパターンは、拡散及び反射特性を有する着色ペーストを印刷することによって、様々な色を有して実現することができる。
【００３１】
導光キーパッドアセンブリー中で使用される導光板201としては、PC、PE、PET、PU、PMMAやガラスなど、透明性が高い材料から製作された導光板を使用することが好ましい。キーキャラクターのパターンは、拡散及び反射特性を有する材料から形成されているため、導光板201の側面に結合された光源490から供給された光が、導光板201内を進行し、キーキャラクターのパターンによって拡散され、反射される。キーキャラクターのパターンは、スクリーン印刷、オフセット印刷、パッド印刷などによって、導光板201の一面上に形成される。キーキャラクターのパターンは、図１に図示するように、導光板201の下面上に形成する必要はない。キーキャラクターのパターンは、必要に応じて、導光板201の両面上に形成することができる。
【００３２】
バックボードシート300が、キーキャラクターのパターンの下に配置される。バックボードシート300によって、キーパッドアセンブリーの様々なデザインの実現が可能になる。バックボードシート300は、プラスチック、PE、PC、PET、紙、皮、SUS、織物など、様々な材料を使って製造することができる。バックボードシート300上に形成された絵又は写真が、キーパッドアセンブリーの外側から観察することができる。バックボードシートは、様々な形状の材料を使用することによって、又は印刷、スクラッチング、彫刻など、様々な方式で材料を加工処理することによって、得ることができる。
【００３３】
バックボードシート300の下面に、各キャラクターパターンに対応して、ドームスイッチと押し接触ができるように形成されたアクチュエーター600を設ける。アクチュエーターは、ドームスイッチ390と実質的に押し接触する突出部を含む。異なる材料から製作されたアクチュエーターは、両面テープ、粘着剤、接着剤などの手段によって、バックボードシート300の下面に取り付けることができ、或いは、バックボードシート300の下面上に印刷することによって、一体型として形成することができる。
【００３４】
その一方、図１の図示とは異なり、バックボードシート300を含んでいない導光キーパッドパッケージの場合、導光板201の下面上にバックボードシート300を配置することが可能であるので、上記に説明した多くの手段を使用して、異なる材料から製作されたアクチュエーターを導光板201の下面上に取り付けることも可能である。
【００３５】
さらに、図３に図示された好ましい実施形態のように、導光板201の一面上でキーキャラクターのパターンが形成された場所に、キーキャラクターのパターンを覆うように透明インク層を形成し、次いで透明インク層上に、キーキャラクターのパターンに対応した突出部を有するアクチュエーターを印刷することによって、アクチュエーターを形成することが可能である。
【００３６】
アクチュエーターが対応するドームスイッチと押し接触できる構造、及び次いで導光板201の側面に結合された光源の始動に関する説明は、出願人の先行実用新案出願などですでに述べられている。したがって、出願人は、ここでその説明をしなくとも、当業者が本発明を実施するには問題がないと考えるので、説明は省略する。
【００３７】
コーティング層100が、導光板の汚染又は損傷を防止するために、導光板の上面上すぐに配置される。このようなコーティング層100は、導光板201の硬度に依存して、選択的に用いることができる。コーティング層を形成する方法も、ここでは詳細に説明しない。というのは、通常のコーティング方法に従えばよいからである。
【００３８】
図２は、本発明の第２の好ましい実施形態による導光キーパッドアセンブリーの断面図である。
【００３９】
図２に図示された導光キーパッドアセンブリーは、キーキャラクターのパターン202が導光板201の上面上に形成された点で、図１に図示された導光キーパッドアセンブリーと異なる。コーティング層100を形成することなく本発明を実施した場合、携帯電話のユーザーが、キーキャラクターのパターンを扱いにくいと感じる可能性がある。
【００４０】
図３は、本発明の第３の好ましい実施形態による導光キーパッドアセンブリーの断面図である。
【００４１】
図３に図示された導光キーパッドアセンブリーは、それが次の構造を取ったとき、図１に図示された導光キーパッドアセンブリーと同じである。すなわち；行又は面タイプのキーキャラクターのパターンが、導光板201の下面上に印刷される；コーティング層100が、導光板201の上面上に形成される；アクチュエーター及びドームシートが、導光板201の下に配置される；導光板201が、たわみ部分を有することができる程度に柔軟である；及び、光を供給するLED  490及びそのLEDを動作させるFPCB  500が、導光板201の側面に結合される。その一方、図１に図示された導光キーパッドアセンブリーは、導光板201の下に、キーパッドデザインのためのバックボードシートを含み、一方、図３に図示された導光キーパッドアセンブリーは、バックボードシートではなく、キーパッドデザインのための絵又は写真などで構成されたキーパッドデザイン層900を、導光板201の下面上に配置された透明インク層310上に含む。つまり、図３に図示された好ましい実施形態によれば、キーキャラクターのパターンは、導光板201の下面上に形成され、透明インク層310は、キーキャラクターのパターンが形成された面全体の上に、パターンをすべて覆うように形成され、次いで、キーパッドデザイン層900は、印刷によって、透明インク層310上に形成される。キーパッドデザイン層900として印刷される絵又は写真は、様々な形状及び色で実現される。
【００４２】
図４は、本発明の第４の好ましい実施形態による導光キーパッドアセンブリーの断面図である。
【００４３】
図４に図示された導光キーパッドアセンブリーは、導光板201の側面に結合された光源490から受け取った光をキーパッドアセンブリーの上部に伝達するように構成されたたわみ部を有する、その導光板201を含む。図１、図２及び図３に図示された好ましい実施形態とは異なり、拡散インク層203が、ドット印刷、凸版印刷やハーフトーン印刷などによって、導光板の下面のいくつかの部分上に形成される。導光キーパッドアセンブリーは、導光板201の下に配置された拡散インク層203と、拡散インク層203の下に配置された、キーパッドデザインのためのバックボードシート300と、バックボードシートの下に配置され、ドームスイッチ309にバックボードシートを押すことによって生じた刺激を伝達するためのアクチュエーター600と、アクチュエーター600の動作に依存して動作するようになされた、アクチュエーター600の突出部の位置に対応して配置されたドームスイッチ390を含むドームシート400と、導光板201の上面の上に均一に形成された透明インク層310と、透明インク層310上に形成されたキーキャラクター印刷層800と、キーキャラクター印刷層800上に配置され、キーキャラクター印刷層800の下にある構成要素を、外部からの刺激によって生じる汚染及び損傷から保護するためのコーティング100とを含む。
【００４４】
キーキャラクター印刷層800を形成する際、形成されるキーキャラクターの形状を除いた部分のみに適切な材料を投入することによって、キーキャラクターの形状に一致する空きスペースを有するマスクを使用する方法と同様に、キーキャラクター印刷層800を形成することが可能である。したがって、凸版印刷、ドット印刷やハーフトーン印刷によって形成された拡散印刷層203を通して供給された光が、キーキャラクターの形状の空きスペースを通して出射される。
【００４５】
アクチュエーター600は、バックボードシート300の下面上に樹脂を印刷することによって、或いは粘着剤、接着剤又は両面テープを使用して、UV、シリコン、PU、ゴムなどから製作されたシートを付着することによって形成される。
【００４６】
図１、図２、図３及び図４に図示された導光キーパッド200は、たわむことができるのに十分柔軟な材料で形成される。したがって、導光キーパッドは、加熱成形などの他の方法によって、フロントハウジング700と結合するのに望ましい形状を有するように加工処理することができる。形状をたわませないままで、導光キーパッド200を使用することも可能である。
【００４７】
図１と図３の導光キーパッドに関して、PU、UV、シリコン、ゴムなど、透明性を有する材料から製作され、キーパッドのキートップになる上面の上に一定の形状を有して形成された導光板を使用することができる。
【００４８】
図５は、本発明による導光キーパッドを示す図である。
【００４９】
図５に図示された導光キーパッドは、透明材料から製作された導光板201の下面又は上面上に拡散及び反射特性を有するペーストを印刷することによって形成されたキーキャラクターのパターンを含む。キーキャラクターのパターンは、様々な色で実現することができる。図５から、キャラクターパターンの形状は、限定されないことがわかる。
【００５０】
照明用LEDが、図５に図示された導光キーパッドの側面に結合され、LEDを始動させるためのFPCBが、それぞれのＬＥＤに結合される。LEDの数及びＬＥＤが結合される場所は、自由に選択することができ、したがって、本発明による、ＬＥＤが結合される場所及びLEDの数は、図５の図示に限定されない。
【００５１】
図６は、本発明によって実現された導光キーパッドアセンブリーを示す図である。
【００５２】
図６のＡ及びＢの両方は、本発明によって実際に実現された導光キーパッドアセンブリーを示す図である。これらの導光キーパッドアセンブリーでは、白色が基本的なキーキャラクターのパターンに使用され、緑色が‘SEND’ ボタンに使用され、そして赤色が‘PWR END’ボタンに使用される。キーキャラクターのパターンの色は、上記に説明したように、導光面の一面上に所望の色のペーストを印刷することによって実現することが可能である。
【００５３】
さらに、両方のキーパッドアセンブリーは、ユニークな背景パターンを有し、そのパターンは、導光板の下に配置されたキーパッドデザイン層又はバックボードシートによって実現される。パターンは、図６に図示されるように、様々な色及び形状を有して実現される。
【産業上の利用可能性】
【００５４】
本発明による導光キーパッドアセンブリーは、透明材料から製作された導光板の一面上に、印刷によって様々な形状及び色のキーキャラクターを形成することによって、従来の携帯電話に必須的に使用されてきた従来のキーパッド構造を排除し、したがって、携帯電話のキーパッドアセンブリーを成功裏にスリムに製造することが可能になる。
【００５５】
キーキャラクターのパターンが形成されている導光板の下に、キーパッドデザインのためのバックボードシート又はキーパッドデザイン層を備えることによって、すべて一貫して黒色である従来のキーパッドの背景ではなく、キーパッドの背景として所望の色又は形状の図面又は絵を挿入することが可能になる。
【図１】
2010541130.tif 000003
【図２】
2010541130.tif 000004
【図３】
2010541130.tif 000005
【図４】
2010541130.tif 000006
【図５】
2010541130.tif 000007
【図６】
2010541130.tif 000008
【国際調査報告】
2010541130.tif 000009
2010541130.tif 000010